(57)【要約】      （修正有）【課題】外部磁場により誘導された電力により加熱部材を、家庭用機器の電流制限に抵触することなく加熱できる誘導電器を提供する。【解決手段】誘導電器は、第１のケース体と、第１のグリルパンと、第１の加熱部材と、誘導コイルとにより構成する。前記第１のケース体は前記第１のグリルパンと着脱自在に接続し、前記第１のグリルパンの第１の調理面には食物を載せることができる。第１のグリルパンを加熱するために、第１のグリルパンの第１の加熱面は第１の加熱部材に固定し、それに、前記第１の加熱部材は誘導コイルと電気的に接続する。そして、誘導コイルには外部磁場によって、誘導電流を第１の加熱部材に通流し、第１の加熱部材に高い熱エネルギーを発生させる。【選択図】図４
0003156398.tif 000002
【実用新案登録請求の範囲】
【請求項１】
一つの第１のケース体と、前記第１のケース体には一つのホルダーがあり、一つの第１のグリルパンと、前記第１のグリルパンは前記第１のケース体と着脱自在に接続し、一つの第１の加熱部材と、前記第１の加熱部材は前記第１のグリルパンに固定し、それに一つの誘導コイルとがあり、前記誘導コイルは前記ホルダーに固定し、前記誘導コイルは前記第１の加熱部材と電気的に接続する誘導電器。
【請求項２】
前記誘導電器はグリルであることを特徴とする請求項１記載の誘導電器。
【請求項３】
前記ホルダーには一つの電器制御モジュールが設置され、前記電器制御モジュールには一つのＲＦ送受信モジュールと、一つの温度検知回路と、それに一つのＩＤチップとがあり、前記ＲＦ送受信モジュールは別々に前記温度検知回路と、それに前記ＩＤチップと電気的に接続し、前記温度検知回路は前記第１のグリルパンと電気的に接続することを特徴とする請求項２記載の誘導電器。
【請求項４】
前記電気制御モジュールには一つのＡＣをＤＣに変換する電源モジュールと、一つの超大容量のコンデンサを有する電気回路とがあり、前記ＡＣをＤＣに変換する電源モジュールの一端は前記誘導コイルと電気的に接続し、もう一端は前記超大容量のコンデンサを有する電気回路と電気的に接続し、前記超大容量のコンデンサを有する電気回路は前記ＲＦ送受信モジュールと電気的に接続することを特徴とする請求項３記載の誘導電器。
【請求項５】
前記第１のケース体の一端は一つの第２のケース体の一端と枢着し、前記第２のケース体には一つの上ホルダーが設置され、前記第２のケース体は一つの第２のグリルパンと着脱自在に接続し、前記第２のグリルパンは一つの第２の加熱部材に固定し、前記第２の加熱部材は前記第１の加熱部材と電気的に接続することを特徴とする請求項４記載の誘導電器。
【請求項６】
その中で、前記第１の加熱部材と前記第２の加熱部材は一つの電気加熱管であることを特徴とする請求項５記載の誘導電器。
【請求項７】
一つの第１のケース体と、前記第１のケース体には一つのホルダーがあり、一つの駆動部材と、前記駆動部材は前記ホルダーに設置され、それに一つの誘導コイルとがあり、前記誘導コイルは前記ホルダーに固定し、それに前記駆動部材と電気的に接続する誘導電器。
【請求項８】
前記ホルダーには一つの電器制御モジュールが設置され、前記電器制御モジュールには一つのＲＦ送受信モジュールと、一つのＩＤチップとがあり、前記ＲＦ送受信モジュールは前記ＩＤチップと電気的に接続することを特徴とする請求項７記載の誘導電器。
【請求項９】
前記電気制御モジュールには一つのＡＣをＤＣに変換する電源モジュールと、一つの超大容量のコンデンサを有する電気回路とがあり、前記ＡＣをＤＣに変換する電源モジュールの一端は前記誘導コイルと電気的に接続し、もう一端は前記超大容量のコンデンサを有する電気回路と電気的に接続し、前記超大容量のコンデンサを有する電気回路は前記ＲＦ送受信モジュールと電気的に接続することを特徴とする請求項８記載の誘導電器。
【請求項１０】
前記駆動部材は一つの加熱器であることを特徴とする請求項９記載の誘導電器。
【請求項１１】
前記誘導電器はグリル、コーヒーポット、電気湯沸かし、トースター、電気炊飯器或いはアイロンであることを特徴とする請求項１０記載の誘導電器。
【請求項１２】
前記駆動部材は一つのモーターであることを特徴とする請求項９記載の誘導電器。
【請求項１３】
前記誘導電器はジューサーであることを特徴とする請求項１２記載の誘導電器。
【考案の詳細な説明】
【技術分野】
【０００１】
本考案は誘導電器に関する、とくに外部磁場の電磁影響を利用し、電力を出力させた誘導電器に関する。
【背景技術】
【０００２】
図１参照、従来の電器には、たとえば、グリルには、一つの上カバー１ａと、一つの下カバー２ａと、二つのグリルパン４ａと、それに二つの電気加熱管３ａとがある。前記上カバー１ａの一側縁は前記下カバー２ａの一側縁と枢着し、前記二つの電気加熱管３ａは別々に前記上カバー１ａまたは前記下カバー２ａの裏に設置され、食物を載せるために、前記二つのグリルパン４ａは別々に前記カバー１ａまたは前記下カバー２ａに固定する。いったん電流が前記二つの電気加熱管３ａに流れると、前記二つの電気加熱管３ａの電気抵抗によって、熱を発生させ、熱エネルギーを産生し、前記二つのグリルパン４ａを加熱させ、食物をフライ或いはローストする。
【０００３】
ただし、家庭用電流の安全規則に制限し、前記従来の電器はより大きい電流が獲得できないが、より低い温度で食物をフライ或いはローストする。そこで、より低い温度によって、フライ或いはロースト時間を長くさせ、エネルギーの使用量を増加する一方で、食物の特性に対して、より高い温度に切り替えるのができなく、食物のおいしさを失う。
【０００４】
以上のように、本考案者は、前記問題を改良できるように感じられ、そして、勉強に集中し、理論の利用を組み合わせ、適当なデザインで、それに前記問題を効率的に改良できる本考案を提供する。
【考案の概要】
【考案が解決しようとする課題】
【０００５】
本考案の目的として、一種の誘導電器を提供し、前記誘導電器は外部磁場の電磁影響を利用し、より高い熱エネルギーを産生させ、そして、フライ或いはロースト温度の幅を広くさせ、食物の特性に対して、適当なフライ或いはロースト温度に切り替えるのができ、食物をいっそうおいしく調理できる。
【課題を解決するための手段】
【０００６】
以上の目的に達するために、本考案は以下の技術手段を採用し、
誘導電器には、一つの第１のケース体と、前記第１のケース体には一つのホルダーがあり、一つの第１のグリルパンと、前記第１のグリルパンは前記第１のケース体と着脱自在に接続し、一つの第１の加熱部材と、前記第１の加熱部材は前記第１のグリルパンに固定し、それに一つの誘導コイルとがあり、前記誘導コイルは前記ホルダーに固定し、前記誘導コイルは前記第１の加熱部材と電気的に接続する。
【０００７】
本考案には以下に述べた有益な効果があり、
【０００８】
１）前記誘導コイルは外部磁場と相互作用してから、誘導電流を産生させ、誘導電流によって、前記第１の加熱部材に熱エネルギーを産生させ、前記第１のグリルパンを加熱する。そして、電磁誘導によって、熱エネルギーを産生させ、食物をフライまたはローストする。
【０００９】
２）誘導コイルで産生した誘導電流の大きさは、前記誘導コイルの材料と、回転数と、それに配列方式とに関し、普通の家庭用電流より大きい電流を提供できる。それで、より大きい電流でより大きい熱エネルギーを産生させ、食物のフライ或いはロースト時間と前記第１のグリルパンのウォームアップ時間を短縮し、エネルギーの使用量を減少する。
【００１０】
３）より大きいエネルギーによって、前記第１のグリルパンのフライ或いはロースト温度を上昇させ、フライ或いはロースト温度の幅を増加させる。そして、食物の特性に対して、適当な温度に調整できるが、食物をいっそうおいしく調理できる。
【００１１】
本考案の特長と技術内容をいっそう詳しく説明するために、以下の詳細な説明と図に参考してください、ただし、添付の図式がただ参考あるいは説明することに利用されるが、本考案のデザインアイディアはこれに限定されるものではない。
【図面の簡単な説明】
【００１２】
【図１】従来の電器の分解図を示す。
【図２】本考案の誘導電器の断面図を示す。
【図３】本考案の誘導電器の分解図を示す。
【図４】本考案の誘導電器と電力プラットホームのブロック図を示す。
【図５Ａ】一つの電力プラットホームと合わせた誘導電器の使用図を示す。
【図５Ｂ】一つの電力プラットホームと合わせた誘導電器の使用図を示す。
【図５Ｃ】一つの電力プラットホームと合わせた誘導電器の使用図を示す。
【図５Ｄ】一つの電力プラットホームと合わせた誘導電器の使用図を示す。
【図５Ｅ】一つの電力プラットホームと合わせた誘導電器の使用図を示す。
【図５Ｆ】一つの電力プラットホームと合わせた誘導電器の使用図を示す。
【図５Ｇ】一つの電力プラットホームと合わせた誘導電器の使用図を示す。
【考案を実施するための形態】
【００１３】
図２と図３参照、本考案の誘導電器はグリルで、その中には、一つの第１のケース体１があり、前記第１のケース体１には一つのホルダー１１と、前記第１のケース体１の内壁に囲まれて形成した一つの第１の収容空間１２とがある。前記ホルダー１１の二つの側面には別々に一つのクランプ部１３が設置され、前記ホルダー１１の上面には一つの第１のグリルパン２が設置され、一組の固定部１４によって前記第１のグリルパン２を前記第１のケース体１に固定し、前記第１のグリルパン２を前記第１のケース体から容易に取り外すことができ、便利に洗濯できる。食物を載せるために、前記第１のグリルパン２の一側面には調理面２１（フライまたはローストする）が設置され、前記第１の料理面２１と反対し、前記第１のグリルパンの他の一側面には一つの第１の加熱面２２が設置され、前記第１の加熱面２２は前記第１の収容空間１２に置かれた第１の加熱部材３に固定し、前記第１の加熱部材３は電気加熱管である。前記第１のケース体１のホルダー１１の底面には一つの誘導コイル７が置かれて、前記誘導コイル７は一つのコイル固定ディスク７１に置かれ、それに、前記ホルダー１１の底面に固定し、前記誘導コイル７は前記第１の加熱部材３と電気的に接続する。
【００１４】
前記第２のケース体４を前記第１のケース体１の上にカバーできるように、前記固定部１４によって、前記第１のケース体１の一側縁を前記一つの第２のケース体４の一側縁と枢着させ、それに、前記第１のケース体１と並んで置く。前記第２のケース体４には一つの上ホルダー４１と、それに前記第２のケース体４の内壁から囲まれて形成した一つの第２の収容空間４２とがある。前記上ホルダー４１の一側面には一つのハンドル４４が設置され、前記組みのクランプ部１３とクランプするために、前記上ホルダー４の二つの側面には一組みの溝４３が設置され、いったん前記第２のケース体４を前記第１のケース体１の上にカーバすると、前記組みのクランプ部１３を前記組みの溝４３とクランプする。前記上ホルダー４１の一側面には一つの第２のグリルパン５を載せることができ、前記固定部１４で前記グリルパン５を前記第２のケース体４に固定し、前記第２のグリルパン５を前記第２のケース体から容易に取り外し、便利に洗濯できる。食物を載せるために、前記第２のグリルパン５の一側面には第２の調理面５１が設置され、前記第２の調理面５１と反対し、前記第２のグリルパンの他の一側面には一つの第２の加熱面５２が設置され、前記第２の加熱面５２は前記第２の収容空間４２に置かれた第２の加熱部材６に固定し、前記第２の加熱部材６は電気加熱管で、前記第１の加熱部材３と電気的に接続する。
【００１５】
外部磁場によって、前記誘導コイル７は外部磁場と相互作用し、誘導電流を形成させ、誘導電流が前記第１の加熱部材３に流れ、前記第１の加熱部材３の電気抵抗によって、熱を発生させ、熱エネルギーを産生し、熱エネルギーを熱伝導で前記第１のグリルパン２に伝導し、前記第１のグリルパン２の第１の調理面２１の温度を上昇させ、食物をフライまたはローストする。しかし、前記第２の加熱部材６は前記第１の加熱部材３と電気的に接続し、前記第２の加熱部材６にも前記誘導電流が流れるが、前記第２のグリルパン５の第２の調理面５１にも食物を調理できる。
【００１６】
そのほか、前記誘導コイル７で形成した誘導電流の大きさは、前記誘導コイル７の材料と、回転数と、それに配列方式とに関し、普通の家庭用電流より大きい電流を提供できる。それで、より大きい電流でより大きい熱エネルギーを産生し、前記第１のグリルパン２或いは第２のグリルパン５のウォームアップ時間と食物のフライ或いはロースト時間を短縮し、エネルギーの使用量を減少する。その上、より高い熱エネルギーによって、前記第１のグリルパン２と前記第２のグリルパン５のフライ或いはロースト温度を上昇させ、フライ或いはロースト温度の幅を増加させ、食物の特性に対して適当なフライ或いはロースト温度に切り替えるのができ、食物をいっそうおいしく調理できる。
【００１７】
前記第１のケース体１のホルダー１１には電子制御モジュール８が設置され（図３参照）、前記電子制御モジュール８は従来技術で、ここではただ作動の理論について説明する。前記電子制御モジュール８にはＲＦ送受信モジュール８１と、それにＡＣをＤＣに変換する電源モジュール８４とがある（図４参照）。ＡＣをＤＣに変換する電源モジュール８４によって、前記誘導コイル７で形成したＡＣ電流をＤＣ電流に変換させてから、ＤＣ電流を一つの超大容量のコンデンサを有す電気回路８５に輸送し、前記超大容量のコンデンサの有す電気回路８５を前記ＲＦ送受信モジュール８１の電源として、また、前記超大容量のコンデンサの有す電気回路８５もは電力を蓄積でき、誘導電流のない場合、持続的に前記ＲＦ送受信モジュール８１に作動用の電力を提供する。前記ＲＦ送受信モジュール８１は一つの温度検知回路８２と、それに一つのＩＤチップ８３と接続し、前記温度検知回路８２は前記第１の調理面２１と、それに前記第２の調理面５１と接続し、そして、前記温度検知回路８２は前記第１の調理面２１と前記第２の調理面５１のフライ或いはロースト温度を検知でき、それに、温度パラメーターを前記ＲＦ送受信モジュール８１に伝える。そのほか、前記ＲＦ送受信モジュール８１はＩＤチップ８３で形成したＩＤコードも受信できる。
【００１８】
使うと、本考案の誘導電器を一つの電力プラットホーム９に置かれ（図５Ａ参照）、前記電力プラットホーム９には一つ電力プラットホームのＲＦ送受信モジュール９２が設置され（図４参照）、誘導電器のＲＦ送受信モジュール８１と合わせて、データを送受信でき、前記データには温度パラメーターと、それにＩＤコードとがある。前記電力プラットホームのＲＦ送受信モジュール９２は温度パラメーターとＩＤコードを受信してから、一つの駆動モジュール９１に電気信号を送り、前記駆動モジュール９１はＡＣ電源９４と電気的に接続し、電気信号によって、前記ＡＣ電源９４で形成したＡＣ電流を一つの電力プラットホームの誘導コイル９３に提供するかどうかを判断する。いったん前記電力プラットホームの誘導コイル９３にＡＣ電流が流れると、時間変動磁場を産生し、前記誘導コイル７は時間変動磁場と相互誘導し、誘導電流を産生させ、前記誘導コイル７の誘導電流を前記第１の加熱部材３と前記第２の加熱部材６に輸送し、前記第１の加熱部材３と前記第２の加熱部材６の電気抵抗を発熱させ、そして、前記第１の調理面２１と前記第２の調理面５１のフライ或いはロースト温度を上昇させる。
【００１９】
以上のように、本考案の誘導電器を前記電力プラットホーム９に置いてから使用すると、前記誘導コイル７は前記電力プラットホーム９の時間変化磁場と相互誘導し、誘導電流を産生させ、前記誘導電流の大きさは前記誘導コイルの配列方式と、回転数と、それにコイルの材料とに決定され、そして、市電の出力標準（約１５００ｗ）より高い高出力の電力（約３０００ｗ）を提供し、加熱スピードを上げるとともに、食物のフライ或いはロースト時間を短縮させ、エネルギーの使用量を節約する。そのほか、加熱するとき、前記第１の調理面２１と前記第２の調理面５１のフライ或いはロースト温度によって、電力を持続的に提供するかどうかを判断し、自動的にフライ或いはロースト温度をある幅に調整し、さまざまの食物の特性にたいして、適当なフライ或いはロースト温度に切り替えるのができ、食物をいっそうおいしく調理できる。
【００２０】
しかし、本考案の誘導電器を普通の家庭用電磁波調理器に、或いは高出力の４口の電気セラミック調理器に使ってもいいが、前記誘導コイル７は外部磁場と相互作用し、前記の加熱原理に達して、便利に前記誘導電器を使える。さらに、本考案の第１の加熱部材３と第２の加熱部材６を色々のデザインに変形できるが、第１の加熱部材３と第２の加熱部材６を一つの駆動部材（図には示さず）に取って代わり、たとえば、加熱器或いはモーターである。誘導電器を、たとえば、コーヒーポット１００、電気湯沸かし１０１、ジューサー１０２、トースター１０３、電気炊飯器１０４或いはアイロン１０５（図５Ｂから図５Ｇまでを参照）前記電力プラットホーム９において使えるが、市電の出力標準より高い高出力の電力を産生させ、誘導電器の性能をたかくさせる。
【００２１】
以上のように、本考案でただ好ましい実施例を開示したが，本考案のデザインアイディアはこれに限定されるものではなく，当業者が，本考案のアイディアと範囲に基づいて色々変形させることは可能であり，それらは本考案の請求項の保護範囲から排除するものではない。
【符号の説明】
【００２２】
１ａ 上カバー
２ａ 下カバー
３ａ  電器加熱管
４ａ  グリルパン
１  第１のケース体
１１  ホルダー
１２  第１の収容空間
１３  クランプ部
１４  固定部
２  第１のグリルパン
２１  第１の調理面（フライまたはローストする）
２２  第１の加熱面
３  第１の加熱部材
４  第２のカース体
４１  上ホルダー
４２  第２の収容空間
４３  溝
４４  ハンドル
５  第２のグリルパン
５１  第２の調理面（フライまたはローストする）
５２  第２の加熱面
６  第２の加熱部材
７  誘導コイル
７１  コイル固定ディスク
８  電子制御モジュール
８１ ＲＦ送受信モジュール
８２  温度検知回路
８３  ＩＤチップ
８４ ＡＣをＤＣに変換する電源モジュール
８５  超大容量のコンデンサを有す電気回路
９  電力プラットホーム
９１  駆動モジュール
９２  電力プラットホームのＲＦ送受信モジュール
９３ 電力プラットホームの誘導コイル
９４  ＡＣ電源
１０  コーヒーポット
１０１  電気湯沸かし
１０２  ジューサー
１０３  トースター
１０４  電気炊飯器
１０５  アイロン
【図１】
0003156398.tif 000003
【図２】
0003156398.tif 000004
【図３】
0003156398.tif 000005
【図４】
0003156398.tif 000006
【図５Ａ】
0003156398.tif 000007
【図５Ｂ】
0003156398.tif 000008
【図５Ｃ】
0003156398.tif 000009
【図５Ｄ】
0003156398.tif 000010
【図５Ｅ】
0003156398.tif 000011
【図５Ｆ】
0003156398.tif 000012
【図５Ｇ】
0003156398.tif 000013